(57)【要約】【課題】  音声データをデータ圧縮して記憶する場合に、音声データを最適なデータ圧縮率でデータ圧縮することができるデータ処理装置を提供する。【解決手段】  音声データを記憶するに際し、この音声データをデータ圧縮するデータ処理装置１００において、前記音声データに対応する音声が、いずれの所定のカテゴリに属しているか否かを判別するカテゴリ判別手段７と、前記所定のカテゴリに応じたデータ圧縮率を選択する圧縮率選択手段８と、前記データ圧縮率で前記音声データをデータ圧縮して圧縮音声データとするデータ圧縮手段９と、前記圧縮音声データを記憶する記憶手段６と、を備えた。【選択図】      図１
2007086643.tif 000002
【特許請求の範囲】
【請求項１】
音声データを記憶するに際し、この音声データをデータ圧縮するデータ処理装置において、
前記音声データに対応する音声が、いずれの所定のカテゴリに属しているか否かを判別するカテゴリ判別手段と、
前記所定のカテゴリに応じたデータ圧縮率を選択する圧縮率選択手段と、
前記データ圧縮率で前記音声データをデータ圧縮して圧縮音声データとするデータ圧縮手段と、
前記圧縮音声データを記憶する記憶手段と、を備えたことを特徴とするデータ処理装置。
【請求項２】
前記所定のカテゴリは、音楽ジャンルで区分されたカテゴリであることを特徴とする請求項１に記載のデータ処理装置。
【請求項３】
前記音声データに対応する音声が属している前記音楽ジャンルは、外部データベースから取得する音楽ジャンル情報に基づいて判断されることを特徴とする請求項１又は２に記載のデータ処理装置。
【請求項４】
前記外部データベースは、通信機器を介して接続されることを特徴とする請求項１乃至３のいずれかに記載のデータ処理装置。
【請求項５】
前記圧縮音声データを伸張して再生する音声再生手段を備え、前記データ圧縮手段は、前記記憶手段に記憶された前記圧縮音声データの前記音声再生手段における再生頻度に基づいて、当該圧縮音声データをよりデータ圧縮率を高くして再圧縮することを特徴とする請求項１乃至４のいずれかに記載のデータ処理装置。
【請求項６】
音声データを記憶するに際し、この音声データをデータ圧縮するデータ処理装置を制御する制御方法において、
前記音声データに対応する音声が、いずれの所定のカテゴリに属しているか否かを判別する過程と、
前記所定のカテゴリに応じたデータ圧縮率を選択する過程と、
前記データ圧縮率で前記音声データをデータ圧縮して圧縮音声データとする過程と、
前記圧縮音声データを記憶する過程と、を備えたことを特徴とするデータ処理装置の制御方法。
【請求項７】
音声データを記憶するに際し、この音声データをデータ圧縮するデータ処理装置をコンピュータにより制御するための制御プログラムにおいて、
前記音声データに対応する音声が、いずれの所定のカテゴリに属しているか否かを判別させ、
前記所定のカテゴリに応じたデータ圧縮率を選択させ、
前記データ圧縮率で前記音声データをデータ圧縮して圧縮音声データとさせ、
前記圧縮音声データを記憶させることを特徴とする制御プログラム。
【発明の詳細な説明】
【技術分野】
【０００１】
本発明は、データをデータ圧縮して記憶するデータ処理装置、その制御方法及び制御プログラムに関する。
【背景技術】
【０００２】
一般に、ＨＤＤ（Hard Disk Drive）やメモリ等の記憶部に、音声データを記憶することにより音声を保存するナビゲーションシステムやオーディオシステムが知られている。
この種のシステムでは、記憶部の記憶容量を拡大することなく、より多くの数の音声データを記憶するために、音声データをデータ圧縮してデータ容量を小さくしてから記憶部に記憶している。そして、音声データをより効率よくデータ圧縮すべく、さまざまなデータ圧縮方法が提案されている（例えば、特許文献１参照）。
【特許文献１】特開２００４−２９４９６９号公報
【発明の開示】
【発明が解決しようとする課題】
【０００３】
ところで、音声データを再生したときの音声は、同一の圧縮方法では、データ圧縮率を上げる程、音質の劣化が顕著になってしまうため、音質の劣化を抑えるためには、記憶部に記憶する音声データは、データ圧縮率をあまり上げずに、データ容量が大きいままで記憶しなければならないため、記憶部に記憶可能な音声データの数が減ってしまうといった問題があった。
また、特にクラシックやジャズ等のジャンルの音楽では扱う周波数帯域が非常に広いため、データ圧縮した音声データを再生したときに、データ圧縮による音質の劣化が顕著に現れ易く、データ圧縮率をあまり上げることができないことにより、記憶部に記憶可能な音声データの数が減ってしまうといった問題があった。
【０００４】
本発明は、上述した事情に鑑みてなされたものであり、音声データをデータ圧縮して記憶する場合に、音声データを最適なデータ圧縮率でデータ圧縮することができるデータ処理装置を提供することを目的としている。
【課題を解決するための手段】
【０００５】
本発明は、音声データを記憶するに際し、この音声データをデータ圧縮するデータ処理装置において、前記音声データに対応する音声が、いずれの所定のカテゴリに属しているか否かを判別するカテゴリ判別手段と、前記所定のカテゴリに応じたデータ圧縮率を選択する圧縮率選択手段と、前記データ圧縮率で前記音声データをデータ圧縮して圧縮音声データとするデータ圧縮手段と、前記圧縮音声データを記憶する記憶手段と、を備えたことを特徴とする。
【０００６】
この場合において、前記所定のカテゴリは、音楽ジャンルで区分されたカテゴリであってもよい。前記音声データに対応する音声が属している前記音楽ジャンルは、外部データベースから取得する音楽ジャンル情報に基づいて判断されていてもよい。前記外部データベースは、通信機器を介して接続されていてもよい。前記圧縮音声データを伸張して再生する音声再生手段を備え、前記データ圧縮手段は、前記記憶手段に記憶された前記圧縮音声データの前記音声再生手段における再生頻度に基づいて、当該圧縮音声データをよりデータ圧縮率を高くして再圧縮してもよい。
【０００７】
また、本発明は、音声データを記憶するに際し、この音声データをデータ圧縮するデータ処理装置を制御する制御方法において、前記音声データに対応する音声が、いずれの所定のカテゴリに属しているか否かを判別する過程と、前記所定のカテゴリに応じたデータ圧縮率を選択する過程と、前記データ圧縮率で前記音声データをデータ圧縮して圧縮音声データとする過程と、前記圧縮音声データを記憶する過程と、を備えたことを特徴とする。
【０００８】
また、本発明は、音声データを記憶するに際し、この音声データをデータ圧縮するデータ処理装置をコンピュータにより制御するための制御プログラムにおいて、前記音声データに対応する音声が、いずれの所定のカテゴリに属しているか否かを判別させ、前記所定のカテゴリに応じたデータ圧縮率を選択させ、前記データ圧縮率で前記音声データをデータ圧縮して圧縮音声データとさせ、前記圧縮音声データを記憶させることを特徴とする。
【発明の効果】
【０００９】
本発明によれば、音声データをデータ圧縮して記憶する場合に、音声データに応じたデータ圧縮率を選択することにより、音声データを最適なデータ圧縮率でデータ圧縮することができる。
【発明を実施するための最良の形態】
【００１０】
以下、図面を参照しつつ本発明の実施の形態について説明する。
図１は、データ処理装置１００の主要構成を示すブロック図である。
このデータ処理装置１００は、例えば、音声に基づく音声データを圧縮して圧縮音声データとして記憶することにより、ＣＤ（Compact Disk）プレーヤとして読み取った音声データを保存することのできる記憶装置であり、音声出力部１、操作部２、携帯電話接続部３、記録媒体読取部４、制御部５、記憶部６、データ判別部７、圧縮率選択部８、データ圧縮部９を備えている。
制御部５は、ＣＰＵ（Central Processing Unit）、ＣＰＵが実行する制御プログラムを格納するＲＯＭ（Read Only Memory）、各種データを一時的に格納するＲＡＭ（Random Access Memory）等を備えている。これにより、制御部５はデータ処理装置１００のシステム全体を制御するコンピュータとして機能する。制御部５は、記憶部６に記憶されている音声データのうち、低いデータ圧縮率（例えば、ビットレート１２８kbps（bit per second）以上）で記憶されているものを抽出し、抽出した音声データに対応する再生状況情報をデータ判別部７に出力する。また、携帯電話接続部３から取得した音楽ジャンル情報をデータ判別部７に出力する。
【００１１】
操作部２は、ボタン等で構成されている。ユーザは操作部２を操作することにより制御部５に動作指示を行い、データ処理装置１００の基本動作、記録動作、記録した音声データの編集や再生等が行われる。
記憶部６は、圧縮音声データを記憶するのに用いられるメモリやＨＤＤ等の記憶装置であり、様々なビットレート（転送速度）のＭＰ３（MPEG Audio Layer-3）等のデータ圧縮方式でデータ圧縮された音声データを記憶することができる。なお、本実施形態では、記憶部６として不揮発性メモリを備えている。
記録媒体読取部４は録音の対象となる記録媒体の再生装置の一部を構成しており、本実施形態ではＣＤを再生する。
音声出力部１は、記録媒体読取部４により記録媒体から読み取った音声データや、記憶部６に記憶されている圧縮音声データを再生し、デジタル／アナログ変換してからスピーカ等に出力する出力装置である。
【００１２】
データ判別部７は、音声データに対応する音声のカテゴリや圧縮音声データの再生頻度を判別し、判別結果を圧縮率選択部８に出力する。
制御部５からデータ判別部７に入力される再生状況情報は、全ての圧縮音声データの、日々の再生回数を含んでいる。データ判別部７は、制御部５から、再生状況情報が入力されると、音声データの再生頻度Ｋを計算する。再生頻度Ｋは、予め定められた日数当たりの圧縮音声データの再生回数であり、再生状況情報に含まれている日々の再生回数から求められる。データ判別部７は、再生頻度Ｋを、予め定められた基準値と比較することにより、圧縮音声データが、高い再生頻度であるのか、あるいは、低い再生頻度であるのかを再生頻度Ｋに基づいて判別する。本実施形態では、３０日当たりの再生回数が１回以下を低い再生頻度であると判別しており、これによる基準値は１／３０とされる。よって、再生頻度Ｋ≦１／３０である場合に、データ判別部７は、圧縮音声データ再生頻度は低い再生頻度であると判別する。
【００１３】
また、データ判別部７は、制御部５から入力される音楽ジャンル情報に基づいて、音声データが対応する音声のカテゴリを判別する。
すなわち、データ判別部７は、データ処理装置１００が記録媒体読取部４から新たに音声データを読み取る際に、音声データに対応する音声の、音楽ジャンルによるカテゴリを判別している。このときのカテゴリは、扱う周波数帯域が非常に広いクラシックあるいはジャズのカテゴリと、ポップスやロック等のその他のカテゴリとに区分されている。この場合、データ判別部７は、制御部５から音楽ジャンル情報が入力されると、音声データに対応する音声が、クラシックあるいはジャズのカテゴリに属しているのか、あるいは、ポップスやロック等のカテゴリに属しているのかを音楽ジャンル情報に基づいて判別する。
【００１４】
圧縮率選択部８は、データ判別部７から入力された圧縮音声データの再生頻度あるいは音楽ジャンルによる判別結果に応じて、圧縮音声データのデータ圧縮率を選択する選択装置であり、選択したデータ圧縮率をデータ圧縮部９に出力する。
データ圧縮部９は、圧縮率選択部８で選択されたデータ圧縮率で、制御部５から入力された音声データのデータ圧縮を行うデータ圧縮装置であり、データ圧縮した音声データである圧縮音声データを制御部５に出力する。
携帯電話接続部３は、携帯電話１１を接続し、この携帯電話１１（図２）を介して外部の通信機器と通信を行うための接続装置である。
【００１５】
図２は、データ処理装置１００が携帯電話１１を介して、外部データベースと通信を行う際の構成図である。
データ処理装置１００は、携帯電話（通信機器）１１を介して、ＣＤ楽曲情報サイト等の記録媒体楽曲データベース（外部データベース）１２と通信を行うことができる。
データ処理装置１００に記録媒体１０が挿入されると、ユーザが操作部２を操作することにより記録媒体１０の録音処理が開始される。そして、データ処理装置１００は、記録媒体１０からＩＤ（Identification）情報を読み取り、携帯電話１１を介して、記録媒体楽曲データベース１２からＩＤ情報に対応する楽曲情報を検索する。ＩＤ情報に対応する楽曲情報が検索されると、データ処理装置１００は携帯電話１１を介して、この楽曲情報に含まれている音楽ジャンル情報を取得する。
【００１６】
図３は、データ処理装置１００による録音処理を示すフローチャートである。
データ処理装置１００が、記録媒体１０に記録された音声データを録音処理する場合には、先ず、ユーザが記録媒体１０を記録媒体読取部４に挿入する（ステップＳ１）。
【００１７】
次に、録音処理を開始するようにユーザが操作部２を操作すると（ステップＳ２）、制御部５は、記録媒体１０の録音処理を開始する。
【００１８】
録音処理が開始すると、制御部５は、携帯電話接続部３及びこれに接続された携帯電話１１を介して、記録媒体楽曲データベース１２から音楽ジャンル情報を取得し、記録媒体１０に記録された音声データに対応する音声の音楽ジャンル情報を取得する（ステップＳ３）。そして、取得した音楽ジャンル情報をデータ判別部７に出力する。
【００１９】
データ判別部７は、制御部５から入力された音楽ジャンル情報に基づいて、録音する音声データに対応する音声が、クラシックあるいはジャズのカテゴリに属しているか否かを判断する（ステップＳ４）。
【００２０】
ステップＳ４において、データ判別部７は、録音する音声データに対応する音声はクラシックあるいはジャズのカテゴリに属していると判断すると（ステップＳ４：Ｙｅｓ）、この判断に基づいて、圧縮率選択部８が、クラシックあるいはジャズのカテゴリに対応付けられたデータ圧縮率（実質的にはビットレート）を選択する。そして、データ処理装置１００は、録音する音声データを、選択されたデータ圧縮率に基づいて、ビットレート１９２kbpsで録音する（ステップＳ５）。
【００２１】
一方、ステップＳ４において、データ判別部７は、録音する音声データに対応する音声はクラシックあるいはジャズのカテゴリに属していないと判断すると（ステップＳ４：Ｎｏ）、この判断に基づいて、圧縮率選択部８が、ポップスやロック等のその他のカテゴリに対応付けられたデータ圧縮率を選択する。そして、データ処理装置１００は、録音する音声データを、選択されたデータ圧縮率に基づいて、ビットレート６４kbpsで録音する（ステップＳ６）。
【００２２】
以上の処理により、データ処理装置１００は、録音する音声データに対応する音声の音楽ジャンルに応じたカテゴリに判別することができるため、音声データに対応する音声の音楽ジャンルに見合った最適なデータ圧縮率で音声データをデータ圧縮することができる。これにより、特にクラシックやジャズ等の、データ圧縮による音質の劣化が顕著に現れ易い音楽ジャンルの音声データを、低いデータ圧縮率で保存することができるため、より良い音質で音声を再生することができる。
【００２３】
図４は、記憶部６に記憶された音声データの再圧縮処理を示すフローチャートである。
制御部５は先ず、記憶部６から低いデータ圧縮率（ビットレート１２８kbps以上に相当）で保存されている音声データを抽出する（ステップＳ１１）。
【００２４】
次に、制御部５は、抽出した音声データの再生状況情報をデータ判別部７に出力し、データ判別部７は、再生状況情報に基づいて、抽出した音声データの再生頻度Ｋを計算し、再生頻度Ｋが、例えば、１／３０以下であるか否かを判断する（ステップＳ１２）。
【００２５】
ステップＳ１２において、データ判別部７は、再生頻度Ｋが１／３０以下であると判断すると（ステップＳ１２：Ｙｅｓ）、抽出した音声データは低い再生頻度であると判断する。そして、圧縮率選択部８が、低い再生頻度であるときのデータ圧縮率を選択し、このデータ圧縮率に基づいて、データ圧縮部９が、音声データに、低い再生頻度のときのデータ圧縮率に基づいて、圧縮した音声データをビットレート６４kbpsとなるよう再圧縮（再変換）をかける（ステップＳ１３）。
【００２６】
次に、制御部５は、ビットレート６４kbpsで再圧縮された圧縮音声データを、記憶部６に記憶（保存）する（ステップＳ１４）。
【００２７】
一方、ステップＳ１２において、データ判別部７が、再生頻度Ｋが１／３０以下ではないと判断すると（ステップＳ１２：Ｎｏ）、抽出された圧縮音声データは、再圧縮されることなく、そのまま記憶部６に保存される（ステップＳ１５）。
【００２８】
以上の処理により、データ処理装置１００は、保存している圧縮音声データの再生頻度を判別することができるため、圧縮音声データの再生頻度に見合った最適なデータ圧縮率で圧縮音声データを再圧縮することができる。これにより、再生頻度の低い圧縮音声データのみデータ圧縮率を高くすることができるため、記憶部６の記憶容量を拡大することなく、より多くの数の圧縮音声データを保存することができる。
【００２９】
以上、一実施形態に基づいて本発明を説明したが、本発明は、これに限定されるものではない。例えば、上記実施形態では、記録媒体としてＣＤを用いているが、これに限らず、ＭＤ（Mini Disk：登録商標）、ＤＶＤ（Digital Versatile Disk）等のその他の記録媒体であってもよい。
また、上記実施形態では、カテゴリを、クラシックあるいはジャズのカテゴリと、ポップスやロック等のその他のカテゴリとで判別しているが、これに限らず、クラシック、ジャズ、ポップス、ロックを単体で判別し、それぞれ個別のデータ圧縮率を設定してもよい。
【００３０】
実施形態では、音声データのビットレートとして、６４kbps、１２８kbps、１９２kbpsを用いているが、これに限らず、その他のビットレートであってもよい。
実施形態では、通信機器として、携帯電話１１を備えているが、これに限らず、その他の通信機器であってもよい。
【図面の簡単な説明】
【００３１】
【図１】データ処理装置の主要構成を示すブロック図である。
【図２】携帯電話を介して外部データベースと通信を行う際の構成図である。
【図３】データ処理装置による録音処理を示すフローチャートである。
【図４】記憶部に記憶された音声データの再圧縮処理を示すフローチャートである。
【符号の説明】
【００３２】
１  音声出力部（音声再生手段）
４  記録媒体読取部（音声再生手段）
５  制御部（音声再生手段）
６  記憶部（記憶手段）
７  データ判別部（カテゴリ判別手段）
８  圧縮率選択部（圧縮率選択手段）
９  データ圧縮部（データ圧縮手段）
１１  携帯電話（通信機器）
１２  記録媒体楽曲データベース（外部データベース）
１００  データ処理装置
【図１】
2007086643.tif 000003
【図２】
2007086643.tif 000004
【図３】
2007086643.tif 000005
【図４】
2007086643.tif 000006